(57)【特許請求の範囲】
【請求項１】
互いにデータ通信可能な、通信端末装置と、映像表示装置とから構成される映像表示システムであって、
前記通信端末装置は検索情報をキーとしてデータベース検索する検索サーバとデータ通信可能であり、
前記映像表示装置は、
コンテンツを表示する表示手段と、
前記表示手段に表示されている前記コンテンツに関連するコンテンツ関連情報を前記通信端末装置へ送信する第１送信手段とを備え、
前記通信端末装置は、
前記コンテンツ関連情報を受信する第１受信手段と、
前記コンテンツ関連情報を前記検索情報として前記検索サーバへ送信する第２送信手段とを備え、
前記検索サーバは前記検索情報を受信すると、前記検索情報をキーとしてデータベース検索し、複数のネットワークアドレスを含む検索結果データを前記通信端末装置へ送信し、
前記第１受信手段は前記検索結果データを受信し、
前記通信端末装置は、
入力指示に応じて、受信した前記検索結果データに含まれる前記複数のネットワークアドレスのいずれかを選択し、選択したネットワークアドレスを前記映像表示装置へ送信する選択送信手段をさらに備え、
前記映像表示装置は、
前記選択送信手段により送信されたネットワークアドレスを受信する第２受信手段と、
前記第２受信手段が受信したネットワークアドレスに対応する情報をネットワークから取得する取得手段と、
前記ネットワークから取得した情報を前記表示手段に表示させる表示制御手段とをさらに備える、映像表示システム。
【請求項２】
前記通信端末装置は、
前記複数のネットワークアドレスをそれぞれ選択するための複数の選択情報を表示する情報表示手段と、
外部からの指示を受付けるための指示入力手段とをさらに備え、
前記選択送信手段は、前記指示入力手段が受付けた、前記複数の選択情報のいずれかを選択するための選択指示に応じて前記複数の選択情報のいずれかを選択し、選択した選択情報に対応するネットワークアドレスを前記映像表示装置へ送信する、請求項１に記載の映像表示システム。
【請求項３】
情報を表示するための表示部が設けられ、受信したネットワークアドレスに対応する情報を前記表示部に表示する映像表示装置および検索情報をキーとしてデータベース検索する検索サーバの各々とデータ通信可能な通信端末装置であって、
前記通信端末装置は、
前記映像表示装置の前記表示部に表示されているコンテンツに関連するコンテンツ関連情報を受信する受信手段と、
前記コンテンツ関連情報を、前記検索情報として、前記検索サーバへ送信する送信手段とを備え、
前記受信手段は前記検索サーバから複数のネットワークアドレスを含む検索結果データを受信し、
前記通信端末装置は、
入力指示に応じて受信した前記検索結果データに含まれる前記複数のネットワークアドレスのいずれかを選択し、選択したネットワークアドレスを前記映像表示装置へ送信する選択送信手段をさらに備える、通信端末装置。
【請求項４】
前記通信端末装置は、
前記複数のネットワークアドレスをそれぞれ選択するための複数の選択情報を表示する情報表示手段と、
外部からの指示を受付けるための指示入力手段とをさらに備え、
前記選択送信手段は前記指示入力手段が受付けた、前記複数の選択情報のいずれかを選択するための選択指示に応じて前記複数の選択情報のいずれかを選択し、選択した選択情報に対応するネットワークアドレスを前記映像表示装置へ送信する、請求項３に記載の通信端末装置。
【請求項５】
検索情報をキーとしてデータベース検索する検索サーバとデータ通信可能な通信端末装置とデータ通信可能な映像表示装置であって、
前記映像表示装置は、
コンテンツを表示する表示手段と、
前記表示手段に表示されている前記コンテンツに関連するコンテンツ関連情報を前記通信端末装置へ送信する送信手段と、
前記通信端末装置が受信した前記コンテンツ関連情報を前記検索情報として前記検索サーバへ送信することにより受信した複数のネットワークアドレスから選択されたネットワークアドレスを受信する受信手段と、
前記受信手段が受信したネットワークアドレスに対応する情報をネットワークから取得する取得手段と、
前記ネットワークから取得した情報を前記表示手段に表示させる表示制御手段とをさらに備える、映像表示装置。
【請求項６】
互いにデータ通信可能な、通信端末装置と、映像表示装置とから構成される映像表示システムであって、
前記映像表示装置は検索情報をキーとしてデータベース検索する検索サーバとデータ通信可能であり、
前記映像表示装置は、
コンテンツを表示する表示手段と、
前記表示手段に表示されている前記コンテンツに関連するコンテンツ関連情報を前記検索情報として前記検索サーバへ送信する送信手段とを備え、
前記検索サーバは前記検索情報を受信すると、前記検索情報をキーとしてデータベース検索し、複数のネットワークアドレスを含む検索結果データを前記映像表示装置へ送信し、
前記映像表示装置は、
前記検索結果データを受信する第１受信手段をさらに備え、
前記送信手段は受信した前記検索結果データを前記通信端末装置へ送信し、
前記通信端末装置は、
前記検索結果データを受信する第２受信手段と、
入力指示に応じて、受信した前記検索結果データに含まれる前記複数のネットワークアドレスのいずれかを選択し、選択したネットワークアドレスを前記映像表示装置へ送信する選択送信手段とを備え、
前記第１受信手段は前記選択送信手段により送信されたネットワークアドレスを受信し、
前記映像表示装置は、
前記第１受信手段が受信したネットワークアドレスに対応する情報をネットワークから取得する取得手段をさらに備え、
前記送信手段は前記取得手段が取得した情報を前記通信端末装置へ送信し、
前記第２受信手段は前記送信手段が送信した情報を受信し、
前記通信端末装置は、
前記第２受信手段が受信した情報を表示する情報表示手段をさらに備える、映像表示システム。
【請求項７】
互いにデータ通信可能な、情報を表示するための表示部が設けられた映像表示装置および通信端末装置にそれぞれ実行させるための第１制御方法および第２制御方法を含む装置制御方法であって、
前記通信端末装置は検索情報をキーとしてデータベース検索する検索サーバとデータ通信可能であり、
前記第１制御方法は、
コンテンツを前記表示部に表示する表示ステップと、
前記表示部に表示されている前記コンテンツに関連するコンテンツ関連情報を前記通信端末装置へ送信する第１送信ステップと、
前記第２制御方法は、
前記コンテンツ関連情報を受信する第１受信ステップと、
前記コンテンツ関連情報を前記検索情報として前記検索サーバへ送信する第２送信ステップとを備え、
前記検索サーバは前記検索情報を受信すると、前記検索情報をキーとしてデータベース検索し、複数のネットワークアドレスを含む検索結果データを前記通信端末装置へ送信し、
前記第１受信ステップは前記検索結果データを受信するステップを含み、
前記第２制御方法は、
入力指示に応じて、受信した前記検索結果データに含まれる前記複数のネットワークアドレスのいずれかを選択し、選択したネットワークアドレスを前記映像表示装置へ送信する選択送信ステップをさらに備え、
前記第１制御方法は、
前記選択送信ステップにより送信されたネットワークアドレスを受信する第２受信ステップと、
前記第２受信ステップが受信したネットワークアドレスに対応する情報をネットワークから取得する取得ステップと、
前記ネットワークから取得した情報を前記表示部に表示させる表示制御ステップとをさらに備える、装置制御方法。
【発明の詳細な説明】
【技術分野】
【０００１】
本発明は、映像表示システム、通信端末装置、映像表示装置および装置制御方法に関し、特に、コンテンツに関連する情報の表示を行なう、映像表示システム、通信端末装置、映像表示装置および装置制御方法に関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術が開示されている。
【０００５】
また、ネットワークに接続可能なテレビ受像機等の映像表示装置（以下、ネットワーク対応表示装置ともいう）の普及により、ネットワーク対応表示装置に表示されている番組を視聴しながら、当該番組に関連する情報も同時に参照することも要求されつつある。
【０００６】
特許第３１６７１０９号公報（特許文献２）には、ネットワーク対応表示装置に表示されている番組と、当該番組に関連する情報とを同時に表示する技術が開示されている。また、特表２００１−５１８７６２号公報（特許文献３）には、表示装置上に表示されているコンテンツに関連した情報にアクセスできる状態になると、表示装置によりその旨を通知する技術が開示されている。
【特許文献１】特開２００２−１３５８１０号公報
【特許文献２】特許第３１６７１０９号公報
【特許文献３】特表２００１−５１８７６２号公報
【発明の開示】
【発明が解決しようとする課題】
【０００７】
しかしながら、特許第３１６７１０９号公報（特許文献２）に開示されている技術では、ネットワーク対応表示装置に表示されている、コンテンツとしての番組（以下、表示中コンテンツともいう）に関連する情報は、必ずしも、ユーザの所望する情報でない場合がある。
【０００８】
そのため、ユーザの所望する情報を、ネットワーク対応表示装置に表示させるためには、ネットワーク対応表示装置に、たとえば、表示中コンテンツに関連する複数の情報にそれぞれ対応する複数のタイトルを表示した選択画像を表示させ、複数のタイトルの中から、ユーザは、所望する情報に対応するタイトルを選択するといった手間が必要である。
【０００９】
また、上記処理が行なわれている期間において、ネットワーク対応表示装置の表示部に選択画像を表示させた場合、表示中コンテンツの視聴を妨げないためには、表示中コンテンツを、縮小表示する必要がある。この場合、ユーザが視聴中の表示中コンテンツの見易さを低下させるという問題がある。また、この場合、表示中コンテンツを縮小表示するのに加え、選択画像も縮小表示する必要があり、縮小表示された選択画像では、表示可能なタイトルの数も制限される。そのため、ユーザは、迅速に、所望の情報に対応するタイトルを選択することができないという問題が発生する。
【００１０】
本発明は、上述の問題点を解決するためになされたものであって、その目的は、情報を選択する期間における表示中のコンテンツの見易さを低下させることなく、迅速に、所望の情報を参照することが可能な映像表示システムを提供することである。
【００１１】
本発明の他の目的は、情報を選択する期間における表示中のコンテンツの見易さを低下させることなく、迅速に、所望の情報を参照することが可能な通信端末装置を提供することである。
【００１２】
本発明のさらに他の目的は、情報を選択する期間における表示中のコンテンツの見易さを低下させることなく、迅速に、所望の情報を参照することが可能な映像表示装置を提供することである。
【００１３】
本発明のさらに他の目的は、情報を選択する期間における表示中のコンテンツの見易さを低下させることなく、迅速に、所望の情報を参照することが可能な装置制御方法を提供することである。
【課題を解決するための手段】
【００１４】
上述の課題を解決するために、この発明のある局面に従うと、互いにデータ通信可能な、通信端末装置と、映像表示装置とから構成される映像表示システムであって、通信端末装置は検索情報をキーとしてデータベース検索する検索サーバとデータ通信可能であり、映像表示装置は、コンテンツを表示する表示手段と、表示手段に表示されているコンテンツに関連するコンテンツ関連情報を通信端末装置へ送信する第１送信手段とを備え、通信端末装置は、コンテンツ関連情報を受信する第１受信手段と、コンテンツ関連情報を検索情報として検索サーバへ送信する第２送信手段とを備え、検索サーバは検索情報を受信すると、検索情報をキーとしてデータベース検索し、複数のネットワークアドレスを含む検索結果データを通信端末装置へ送信し、第１受信手段は検索結果データを受信し、通信端末装置は、入力指示に応じて、受信した検索結果データに含まれる複数のネットワークアドレスのいずれかを選択し、選択したネットワークアドレスを映像表示装置へ送信する選択送信手段をさらに備え、映像表示装置は、選択送信手段により送信されたネットワークアドレスを受信する第２受信手段と、第２受信手段が受信したネットワークアドレスに対応する情報をネットワークから取得する取得手段と、ネットワークから取得した情報を表示手段に表示させる表示制御手段とをさらに備える。
【００１５】
好ましくは、通信端末装置は、複数のネットワークアドレスをそれぞれ選択するための複数の選択情報を表示する情報表示手段と、外部からの指示を受付けるための指示入力手段とをさらに備え、選択送信手段は、指示入力手段が受付けた、複数の選択情報のいずれかを選択するための選択指示に応じて複数の選択情報のいずれかを選択し、選択した選択情報に対応するネットワークアドレスを映像表示装置へ送信する。
【００１６】
この発明の他の局面に従うと、情報を表示するための表示部が設けられ、受信したネットワークアドレスに対応する情報を表示部に表示する映像表示装置および検索情報をキーとしてデータベース検索する検索サーバの各々とデータ通信可能な通信端末装置であって、通信端末装置は、映像表示装置の表示部に表示されているコンテンツに関連するコンテンツ関連情報を受信する受信手段と、コンテンツ関連情報を、検索情報として、検索サーバへ送信する送信手段とを備え、受信手段は検索サーバから複数のネットワークアドレスを含む検索結果データを受信し、通信端末装置は、入力指示に応じて受信した検索結果データに含まれる複数のネットワークアドレスのいずれかを選択し、選択したネットワークアドレスを映像表示装置へ送信する選択送信手段をさらに備える。
【００１７】
好ましくは、通信端末装置は、複数のネットワークアドレスをそれぞれ選択するための複数の選択情報を表示する情報表示手段と、外部からの指示を受付けるための指示入力手段とをさらに備え、選択送信手段は指示入力手段が受付けた、複数の選択情報のいずれかを選択するための選択指示に応じて複数の選択情報のいずれかを選択し、選択した選択情報に対応するネットワークアドレスを映像表示装置へ送信する。
【００１８】
この発明のさらに他の局面に従うと、検索情報をキーとしてデータベース検索する検索サーバとデータ通信可能な通信端末装置とデータ通信可能な映像表示装置であって、映像表示装置は、コンテンツを表示する表示手段と、表示手段に表示されているコンテンツに関連するコンテンツ関連情報を通信端末装置へ送信する送信手段と、通信端末装置が受信したコンテンツ関連情報を検索情報として検索サーバへ送信することにより受信した複数のネットワークアドレスから選択されたネットワークアドレスを受信する受信手段と、受信手段が受信したネットワークアドレスに対応する情報をネットワークから取得する取得手段と、ネットワークから取得した情報を表示手段に表示させる表示制御手段とをさらに備える
この発明のさらに他の局面に従うと、互いにデータ通信可能な、通信端末装置と、映像表示装置とから構成される映像表示システムであって、映像表示装置は検索情報をキーとしてデータベース検索する検索サーバとデータ通信可能であり、映像表示装置は、コンテンツを表示する表示手段と、表示手段に表示されているコンテンツに関連するコンテンツ関連情報を検索情報として検索サーバへ送信する送信手段とを備え、検索サーバは検索情報を受信すると、検索情報をキーとしてデータベース検索し、複数のネットワークアドレスを含む検索結果データを映像表示装置へ送信し、映像表示装置は、検索結果データを受信する第１受信手段をさらに備え、送信手段は受信した検索結果データを通信端末装置へ送信し、通信端末装置は、検索結果データを受信する第２受信手段と、入力指示に応じて、受信した検索結果データに含まれる複数のネットワークアドレスのいずれかを選択し、選択したネットワークアドレスを映像表示装置へ送信する選択送信手段とを備え、第１受信手段は選択送信手段により送信されたネットワークアドレスを受信し、映像表示装置は、第１受信手段が受信したネットワークアドレスに対応する情報をネットワークから取得する取得手段をさらに備え、送信手段は取得手段が取得した情報を通信端末装置へ送信し、第２受信手段は送信手段が送信した情報を受信し、通信端末装置は、第２受信手段が受信した情報を表示する情報表示手段をさらに備える。
【００１９】
この発明のさらに他の局面に従うと、互いにデータ通信可能な、情報を表示するための表示部が設けられた映像表示装置および通信端末装置にそれぞれ実行させるための第１制御方法および第２制御方法を含む装置制御方法であって、通信端末装置は検索情報をキーとしてデータベース検索する検索サーバとデータ通信可能であり、第１制御方法は、コンテンツを表示部に表示する表示ステップと、表示部に表示されているコンテンツに関連するコンテンツ関連情報を通信端末装置へ送信する第１送信ステップと、第２制御方法は、コンテンツ関連情報を受信する第１受信ステップと、コンテンツ関連情報を検索情報として検索サーバへ送信する第２送信ステップとを備え、検索サーバは検索情報を受信すると、検索情報をキーとしてデータベース検索し、複数のネットワークアドレスを含む検索結果データを通信端末装置へ送信し、第１受信ステップは検索結果データを受信するステップを含み、第２制御方法は、入力指示に応じて、受信した検索結果データに含まれる複数のネットワークアドレスのいずれかを選択し、選択したネットワークアドレスを映像表示装置へ送信する選択送信ステップをさらに備え、第１制御方法は、選択送信ステップにより送信されたネットワークアドレスを受信する第２受信ステップと、第２受信ステップが受信したネットワークアドレスに対応する情報をネットワークから取得する取得ステップと、ネットワークから取得した情報を表示部に表示させる表示制御ステップとをさらに備える。
【発明の効果】
【００２０】
本発明に係る映像表示システムは、通信端末装置と、映像表示装置とから構成される。映像表示装置は、表示手段に表示されているコンテンツに関連するコンテンツ関連情報を、通信端末装置へ送信し、通信端末装置は、受信したコンテンツ関連情報を、検索情報として、検索サーバへ送信する。検索サーバは検索情報を受信すると、検索情報をキーとしてデータベース検索し、複数のネットワークアドレスを含む検索結果データを通信端末装置へ送信する。通信端末装置は、入力指示に応じて、受信した検索結果データに含まれる複数のネットワークアドレスのいずれかを選択し、映像表示装置へ送信し、映像表示装置は、受信したネットワークアドレスに対応する情報を、ネットワークから取得し、表示手段に表示させる。
【００２１】
したがって、表示手段に表示されているコンテンツを縮小表示させることなく、コンテンツ関連情報に関連する情報を検索することができる。また、コンテンツを表示している装置とは別の装置である通信端末装置が、検索を行なった検索サーバから複数のネットワークアドレスを含む検索結果データを受信する。
【００２２】
そして、通信端末装置は、入力指示に応じて、複数のネットワークアドレスのいずれかを選択し、映像表示装置へ送信し、映像表示装置は、受信したネットワークアドレスに対応する情報を、ネットワークから取得し、表示手段に表示させる。その結果、情報を選択する期間における表示中のコンテンツの見易さを低下させることなく、迅速に、所望の情報を参照することができるという効果を奏する。
【００２３】
本発明に係る通信端末装置は、表示部が設けられ、受信したネットワークアドレスに対応する情報を表示部に表示する映像表示装置とデータ通信可能である。通信端末装置は、映像表示装置の表示部に表示されているコンテンツに関連するコンテンツ関連情報を受信し、検索情報として、検索サーバへ送信する。そして、通信端末装置は、検索サーバから複数のネットワークアドレスを含む検索結果データを受信し、入力指示に応じて、受信した検索結果データに含まれる複数のネットワークアドレスのいずれかを選択し、映像表示装置へ送信する。映像表示装置は、受信したネットワークアドレスに対応する情報を表示部に表示する。
【００２４】
したがって、表示部に表示されているコンテンツを縮小表示させることなく、コンテンツ関連情報に関連する情報を検索することができる。また、コンテンツを表示している装置とは別の装置である通信端末装置が、検索を行なった検索サーバから複数のネットワークアドレスを含む検索結果データを受信する。
【００２５】
そして、通信端末装置は、入力指示に応じて、複数のネットワークアドレスのいずれかを選択し、映像表示装置へ送信し、映像表示装置は、受信したネットワークアドレスに対応する情報を表示部に表示する。その結果、情報を選択する期間における表示中のコンテンツの見易さを低下させることなく、迅速に、所望の情報を参照することができるという効果を奏する。
【００２６】
本発明に係る映像表示装置は、表示手段に表示されているコンテンツに関連するコンテンツ関連情報を、通信端末装置へ送信し、通信端末装置が受信したコンテンツ関連情報を検索情報として検索サーバへ送信することにより受信した複数のネットワークアドレスから選択されたネットワークアドレスを受信する。そして、受信したネットワークアドレスに対応する情報を、ネットワークから取得し表示手段に表示させる。
【００２７】
したがって、表示手段に表示されているコンテンツを縮小表示させることなく、コンテンツ関連情報に関連する情報を検索することができる。また、コンテンツを表示している装置とは別の装置である通信端末装置が、検索を行なった検索サーバから受信した複数のネットワークアドレスから選択されたネットワークアドレスを映像表示装置が受信する。映像表示装置は、受信したネットワークアドレスに対応する検索情報に関連する情報を、ネットワークから取得し、表示手段に表示させる。その結果、情報を選択する期間における表示中のコンテンツの見易さを低下させることなく、迅速に、所望の情報を参照することができるという効果を奏する。
【００２８】
本発明に係る映像表示システムは、通信端末装置と、映像表示装置とから構成される。映像表示装置は、表示手段に表示されているコンテンツに関連するコンテンツ関連情報を、検索情報として、検索サーバへ送信する。検索サーバは検索情報を受信すると、検索情報をキーとしてデータベース検索し、複数のネットワークアドレスを含む検索結果データを映像表示装置へ送信する。映像表示装置は、受信した検索結果データを、通信端末装置へ送信し、通信端末装置は、入力指示に応じて、受信した検索結果データに含まれる複数のネットワークアドレスのいずれかを選択し、選択したネットワークアドレスを映像表示装置へ送信する。映像表示装置は、受信したネットワークアドレスに対応する情報を、ネットワークから取得し、通信端末装置へ送信する。通信端末装置は受信した情報を情報表示手段に表示する。
【００２９】
したがって、表示手段に表示されているコンテンツを縮小表示させることなく、コンテンツ関連情報に関連する情報を検索することができる。また、コンテンツを表示している装置とは別の装置である通信端末装置が、検索を行なった検索サーバから複数のネットワークアドレスを含む検索結果データを受信する。
【００３０】
そして、通信端末装置は、入力指示に応じて、複数のネットワークアドレスのいずれかを選択し、映像表示装置へ送信し、映像表示装置は、受信したネットワークアドレスに対応する検索情報に関連する情報を、ネットワークから取得し、通信端末装置へ送信する。通信端末装置は受信した情報を情報表示手段に表示する。その結果、情報を選択する期間における表示中のコンテンツの見易さを低下させることなく、迅速に、所望の情報を参照することができるという効果を奏する。
【００３１】
本発明に係る装置制御方法は、表示部が設けられた映像表示装置および通信端末装置にそれぞれ実行させるための第１制御方法および第２制御方法を含む。第１制御方法および第２制御方法の実行により、以下の処理が行なわれる。映像表示装置は、表示部に表示されているコンテンツに関連するコンテンツ関連情報を、通信端末装置へ送信し、通信端末装置は、受信したコンテンツ関連情報を、検索情報として、検索サーバへ送信する。検索サーバは検索情報を受信すると、検索情報をキーとしてデータベース検索し、複数のネットワークアドレスを含む検索結果データを通信端末装置へ送信する。通信端末装置は、入力指示に応じて、受信した検索結果データに含まれる複数のネットワークアドレスのいずれかを選択し、映像表示装置へ送信し、映像表示装置は、受信したネットワークアドレスに対応する情報を、ネットワークから取得し、表示部に表示させる。
【００３２】
したがって、表示部に表示されているコンテンツを縮小表示させることなく、コンテンツ関連情報に関連する情報を検索することができる。また、コンテンツを表示している装置とは別の装置である通信端末装置が、検索を行なった検索サーバからコンテンツ関連情報に関連する複数の情報をネットワークからそれぞれ取得するための複数のネットワークアドレスを含む検索結果データを受信する。
【００３３】
そして、通信端末装置は、入力指示に応じて、複数のネットワークアドレスのいずれかを選択し、映像表示装置へ送信し、映像表示装置は、受信したネットワークアドレスに対応する情報を、ネットワークから取得し、表示手段に表示させる。その結果、情報を選択する期間における表示中のコンテンツの見易さを低下させることなく、迅速に、所望の情報を参照することができるという効果を奏する。
【発明を実施するための最良の形態】
【００３４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３５】
＜第１の実施の形態＞
図１は、本実施の形態におけるネットワークシステム１０００の構成を示す図である。図１を参照して、ネットワークシステム１０００には、ホームネットワーク５０１が含まれる。
【００３６】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００３７】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００３８】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００３９】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００４０】
通信端末装置５００と、映像表示装置６００とは、無線または有線でデータ通信を行なう。すなわち、通信端末装置５００と、映像表示装置６００とから映像表示システムが構成される。
【００４１】
通信部５０は、通信端末装置５００、映像表示装置６００およびネットワーク７０の各々と、データ通信を行なう機能を有する。ネットワーク７０は、インターネットなどの外部のネットワークである。
【００４２】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００４３】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
また、通信部５０は、さらに、イーサネット（登録商標）を利用した通信用インターフェースの機能（たとえば、ルータ機能）を有する。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００４４】
また、ネットワーク７０は、電話網６０と、無線または有線によりデータ通信可能である。したがって、通信端末装置５００は、電話網６０を介して、ネットワーク７０とデータ通信可能である。
【００４５】
ネットワークシステム１０００には、さらに、サービスサーバ８００Ａと、検索サーバ８００Ｓと、Ｗｅｂサーバ８００Ｗとが含まれる。
【００４６】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００４７】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００４８】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００４９】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００５０】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００５１】
サービスサーバ８００Ａ、検索サーバ８００ＳおよびＷｅｂサーバ８００Ｗの各々は、ネットワーク７０と、無線または有線でデータ通信を行なう。
【００５２】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓの速度でデータ通信が可能であるとする。
【００５３】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００５４】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００５５】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００５６】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００５７】
表示部５３０は、文字や画像等を表示する機能を有する。表示部５３０は、ＬＣＤパネル（Liquid Crystal Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００５８】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００５９】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００６０】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００６１】
ＬＥＤ５７６は、通信端末装置５００で行なわれる処理に応じて、光による報知を行なう。たとえば、ＬＥＤ５７６は、電話の着信があった場合、光を点滅させる。
【００６２】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。
【００６３】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００６４】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００６５】
機能ボタン５４３Ａは、通信端末装置５００に電話がかかってきた場合、短押操作により通話開始を行なうためのボタンである。機能ボタンボタン５４３Ｂは、通信端末装置５００が通話中である場合、短押操作により通話を終了させるためのボタンである。また、機能ボタンボタン５４３Ｂは、ユーザによる長時間（たとえば、１秒以上）の押下操作（以下、長押操作ともいう）により、通信端末装置５００の電源のオンとオフとの切替えを行なうためのボタンである。
【００６６】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００６７】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００６８】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００６９】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００７０】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００７１】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００７２】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００７３】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００７４】
図５を参照して、通信端末装置５００は、さらに、制御部５１０と、一時記憶部５２２と、記憶部５２０とを備える。
【００７５】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００７６】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）およびその他の演算機能を有する回路のいずれであってもよい。
【００７７】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００７８】
通信端末装置５００は、さらに、アンテナ５０２と、チューナ５０５と、データ処理部５０７とを備える。
【００７９】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００８０】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００８１】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００８２】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００８３】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００８４】
また、受信した放送信号が、ディジタル放送に基づく信号である場合、データ処理部５０７は、以下の処理を行なう。まず、データ処理部５０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００８５】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００８６】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００８７】
通信端末装置５００は、さらに、ＶＤＰ５３２と、ＶＲＡＭ（Video Random Access Memory）５３６とを備える。
【００８８】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００８９】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００９０】
通信端末装置５００は、さらに、入力部５４０と、記録媒体アクセス部５５０を備える。
【００９１】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００９２】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００９３】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００９４】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００９５】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００９６】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００９７】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００９８】
なお、通信部５６０は、パラレル転送を行なう通信用インターフェースの機能を有していてもよい。パラレル転送を行なう通信用インターフェースは、たとえば、セントロニクス（登録商標）準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００９９】
また、通信部５６０は、さらに、無線データ通信機能を有する。無線データ通信機能は、ブルートゥース（Bluetooth（登録商標））を使用して、無線でデータ通信を行なう機能を有する。なお、無線データ通信は、ブルートゥース（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【０１００】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができ、通信部５０を介して、たとえば、映像表示装置６００に対して録画データの送信要求を行ない、送信された録画データを受信してストリーミング再生を行なうことができる。
【０１０１】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【０１０２】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【０１０３】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【０１０４】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【０１０５】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【０１０６】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【０１０７】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【０１０８】
制御部５１０は、前述した音声出力部５７０，５７２、音声入力部５７４とデータ通信する。
【０１０９】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【０１１０】
ユーザが音声入力部５７４に含まれるマイクに対して音声を発すると、音声入力部５７４は、マイクにより取得した音声を音声データに変換して、音声データを、制御部５１０へ送信する。
【０１１１】
制御部５１０は、前述したＬＥＤ５７６、撮像部５７８とデータ通信する。ＬＥＤ５７６は、制御部５１０からの制御指示に基づいて、光を発する。
【０１１２】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１１３】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１１４】
通信端末装置５００は、さらに、ＲＦＩＤ５８０を備える。ＲＦＩＤ５８０は、たとえば、Felica(登録商標)などのセキュリティ機能をもったＲＦＩＤ（Radio Frequency Identification）に基づく集積回路で、非接触で図示しない読み取り端末と通信を行う。また、ＲＦＩＤ５８０は、制御部５１０からの制御指示に基づいて、端末ＩＤなどのデータを出力する。
【０１１５】
次に、映像表示装置６００について詳細に説明する。
図６は、映像表示装置６００の外観を正面から示した図である。図６を参照して、映像表示装置６００は、表示部６３０と、音声出力部６７０とを備える。
【０１１６】
表示部６３０は、文字や画像等を表示する機能を有する。表示部６３０は、ＬＣＤパネル、ＣＲＴ（Cathode Ray Tube）、ＦＥＤパネル（Field Emission Display Panel）、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、４：３であってもよい。
【０１１７】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１１８】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１１９】
図７を参照して、映像表示装置６００は、さらに、制御部６１０と、一時記憶部６２２と、記憶部６２０とを備える。
【０１２０】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤやその他の各種データ等が記憶されている。
【０１２１】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１２２】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１２３】
映像表示装置６００は、さらに、アンテナ６０２と、チューナ６０５と、データ処理部６０７とを備える。
【０１２４】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１２５】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１２６】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１２７】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１２８】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１２９】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１３０】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１３１】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１３２】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１３３】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１３４】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１３５】
映像表示装置６００は、さらに、ＶＤＰ６３２と、ＶＲＡＭ６３６とを備える。
ＶＲＡＭ６３６は、画像データを一時的に記憶する機能を有する。
【０１３６】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１３７】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１３８】
映像表示装置６００は、さらに、入力部６４０と、記録媒体アクセス部６５０とを備える。
【０１３９】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１４０】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１４１】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１４２】
記録媒体５５５Ａは、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード（登録商標）、ＵＳＢメモリ、磁気テープおよび上記以外の不揮発性メモリのいずれであってもよい。
【０１４３】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１４４】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。したがって、通信部５０を介して、通信部６６２に対し、記憶部６２０に記憶されている録画データの送信要求があった場合は、録画データを要求した装置に対して送信、あるいはストリーミング配信する。
【０１４５】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１４６】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１４７】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１４８】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１４９】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１５０】
図８は、一例としてのリモコン画像ＭＧ１００を示す図である。図８を参照して、リモコン画像ＭＧ１００には、ボタン画像ＭＢＧ１１０，ＭＢＧ１２０，ＭＢＧ１３０が配置される。
【０１５１】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１５２】
ボタン画像ＭＢＧ１１０は、インターフェース操作Ｍにより、押下処理されることで、電源リモコン信号を、映像表示装置６００へ送信するためのボタン画像である。電源リモコン信号は、映像表示装置６００の電源がオンである状態と、映像表示装置６００の電源がオフである状態とを切替えるためのリモコン信号である。
【０１５３】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１５４】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５５】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５６】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１５７】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。
【０１５８】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。
【０１５９】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１６０】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１６１】
以下においては、通信端末装置５００が、映像表示装置６００へリモコン信号を送信することで映像表示装置６００を操作可能な場合における、通信端末装置５００の動作モードを、リモコンモードともいう。
【０１６２】
次に、コンテンツに関連する情報を表示させるための処理（以下、コンテンツ関連情報表示処理ともいう）について説明する。なお、通信端末装置５００の表示部５３０には、リモコン画像ＭＧ１００が表示されているとする。この場合、通信端末装置５００は、リモコンモードに設定されているとする。
【０１６３】
図９は、コンテンツ関連情報表示処理のフローチャートである。図９では、通信端末装置５００、映像表示装置６００、サービスサーバ８００Ａ、検索サーバ８００ＳおよびＷｅｂサーバ８００Ｗの各々において行なわれる処理を示す。
【０１６４】
映像表示装置６００では、電源がオンされると自動的にステップＳ１１０の処理が行なわれる。なお、ステップＳ１１０の処理は、電源がオンされると自動的に行なわれるのではなく、インターフェース操作Ｔ、または、リモコンモードに設定された通信端末装置５００におけるインターフェース操作Ｍにより、実行されてもよい。
【０１６５】
また、映像表示装置６００の電源がオンされると、制御部６１０は、現在の日時を管理する日時管理処理を、他の処理とは独立して自動的に行なう。したがって、日時管理処理により管理されている現在の日時の情報は、時間の経過と共に変化する。
【０１６６】
ステップＳ１１０では、番組データ取得処理が行なわれる。番組データ取得処理では、制御部６１０が、通信部６６２を利用して、番組データ取得要求を、通信部５０およびネットワーク７０を介して、サービスサーバ８００Ａへ送信する。番組データ取得要求とは、番組データとしてのＥＰＧデータを取得するための要求である。
【０１６７】
サービスサーバ８００Ａでは、まず、ステップＳ１４０の処理が行なわれる。
ステップＳ１４０では、番組データ取得要求を受信したか否かが判定される。ステップＳ１４０において、ＹＥＳならば、ステップＳ１４１に進む。一方、ステップＳ１４０において、ＮＯならば、再度、ステップＳ１４０の処理が行なわれる。
【０１６８】
ステップＳ１４１では、サービスサーバ８００Ａが、番組データ取得要求を送信した装置に対し、番組データとしてのＥＰＧデータを送信する。その後、再度、ステップＳ１４０の処理が行なわれる。
【０１６９】
そして、映像表示装置６００の制御部６１０は、以下に説明するＥＰＧデータを受信する。制御部６１０は、ＥＰＧデータを受信すると、記憶部６２０にＥＰＧデータを記憶させる。ＥＰＧデータは、以下の番組情報データテーブルＴ１００を構成するデータである。番組情報データテーブルＴ１００は、複数の番組情報をそれぞれ示す複数の番組情報データから構成される。なお、番組情報データテーブルＴ１００には、たとえば、１日分の複数の番組情報データから構成されるとする。
【０１７０】
図１０は、一例としての番組情報データテーブルＴ１００を示す図である。図１０を参照して、番組情報データテーブルＴ１００において、「管理番号」とは、複数の番組情報データの各々を管理するための番号である。「ＩＤ番号」とは、番組を識別するための番号である。「チャンネル番号」とは、放送局に割り当てられているチャンネル番号である。「放送局コード」とは、放送局に割り当てられているコード番号である。「放送局名」とは、放送局の名称である。
【０１７１】
「タイトル」とは、対応する番組のタイトルを示す。「開始日時」とは、対応する番組の放送開始日時を示す。「終了日時」とは、対応する番組の放送終了日時を示す。「ジャンル」とは、対応する番組のジャンルを示す。「出演者」とは、対応する番組の主な出演者である。「番組内容」とは、対応する番組の簡単な内容を示す。なお、番組情報データテーブルＴ１００には、さらに、「音声情報」が含まれてもよい。「音声情報」とは、対応する番組の音声が、ステレオおよびモノラルのいずれであるかを示す情報である。
【０１７２】
再び、図９を参照して、通信端末装置５００では、まず、ステップＳ１２０の処理が行なわれる。
【０１７３】
ステップＳ１２０では、制御部５１０が、後述する番組表画像を表示させるための番組表表示制御操作があるか否かを判定する。番組表表示制御操作とは、ボタン画像ＭＢＧ１２０を押下処理するためのインターフェース操作Ｍである。ステップＳ１２０において、ＹＥＳならば、ステップＳ１２０Ａに進む。一方、ステップＳ１２０において、ＮＯならば、再度、ステップＳ１２０の処理が行なわれる。
【０１７４】
ステップＳ１２０Ａでは、制御部５１０が、番組表表示リモコン信号を、通信部５６０を利用して、映像表示装置６００へ送信する。番組表表示リモコン信号は、表示部６３０に、後述する番組表画像を表示させるためのリモコン信号である。
【０１７５】
映像表示装置６００では、ステップＳ１１０の処理の後、ステップＳ１１１に進む。
ステップＳ１１１では、制御部６１０が、番組表表示リモコン信号を受信する。その後、ステップＳ１１２に進む。
【０１７６】
ステップＳ１１２では、番組表画像表示処理が行なわれる。番組表画像表示処理では、制御部６１０が、ＥＰＧデータに基づいて、ＶＤＰ６３２を利用して、以下の番組表画像ＴＧ１００を生成し、生成した番組表画像ＴＧ１００を表示部６３０に表示させる。
【０１７７】
図１１は、一例としての番組表画像ＴＧ１００を示す図である。図１１を参照して、番組表画像ＴＧ１００には、番組表表示画像ＴＧ１１０と、詳細情報画像ＴＧ１２０とが配置される。
【０１７８】
番組表表示画像ＴＧ１１０は、ＥＰＧデータを構成する番組情報データテーブルＴ１００に基づく番組情報を表示する画像である。番組表表示画像ＴＧ１１０において、「ＣＨ」の列の番号は、チャンネル番号である。番組表表示画像ＴＧ１１０において、１９時，２０時，２１時は、時刻を示す。番組表表示画像ＴＧ１１０内において、チャンネル番号および時刻以外の文字列は、番組のタイトルを示す。番組のタイトルは、通信端末装置５００がリモコンモードである場合、インターフェース操作Ｍにより、選択状態になる。選択状態のタイトルは、一例として、背景が黒で、文字列が白く表示される。番組表表示画像ＴＧ１１０では、一例として、タイトルが「Ａスポーツ」という番組が選択状態である。
【０１７９】
詳細情報画像ＴＧ１２０は、番組表表示画像ＴＧ１１０において、選択状態の番組に関する詳細な情報を表示する画像である。詳細情報画像ＴＧ１２０には、一例として、「Ａスポーツ」という番組を放送している放送局に割り当てられているチャンネル番号、「Ａスポーツ」という番組名、番組の放送時間、出演者、番組内容等が表示される。
【０１８０】
再び、図９を参照して、ステップＳ１１２の処理が終了すると、ステップＳ１１３の処理が行なわれる。
【０１８１】
ステップＳ１１３では、番組簡易リストデータの送信が行なわれる。具体的には、まず、制御部６１０が、ＥＰＧデータを構成する番組情報データテーブルＴ１００の一部のデータである、番組簡易リストデータを生成し、生成した番組簡易リストデータを通信端末装置５００へ送信する。番組簡易リストデータは、以下の番組簡易情報データテーブルＭＴ１００を構成するデータである。番組簡易情報データテーブルＭＴ１００は、複数の番組簡易情報をそれぞれ示す複数の番組簡易情報データから構成される。
【０１８２】
図１２は、一例としての番組簡易情報データテーブルＭＴ１００を示す図である。図１２を参照して、番組簡易情報データテーブルＭＴ１００は、図１０の番組情報データテーブルＴ１００と比較して、「放送局コード」、「終了日時」、「ジャンル」、「出演者」および「番組内容」の項目が含まれない点と、現在の日時に放送されている番組以降に放送される番組に対応する番組簡易情報を含まない点とが異なる。たとえば、現在の日時が、２１時３０分ならば、番組簡易情報データテーブルＭＴ１００には、現在放送中の番組であって、タイトルが「Ｃ観光」である番組以降の番組に対応する番組簡易情報は含まれない。それ以外は、番組情報データテーブルＴ１００と同様なので詳細な説明は繰り返さない。
【０１８３】
再び、図９を参照して、通信端末装置５００では、ステップＳ１２０Ａの処理の後、ステップＳ１２１に進む。
【０１８４】
ステップＳ１２１では、制御部５１０が、番組簡易リストデータを受信する。その後、ステップＳ１２２に進む。
【０１８５】
ステップＳ１２２では、簡易リスト表示処理が行なわれる。簡易リスト表示処理では、制御部５１０が、受信した番組簡易リストデータに基づいて、ＶＤＰ５３２を利用して、以下の簡易リスト画像ＭＧ２００を生成し、生成した簡易リスト画像ＭＧ２００を表示部５３０に表示させる。そして、制御部５１０は、通信端末装置５００のリモコンモードを解除する。これにより、通信端末装置５００は、映像表示装置６００を、インターフェース操作Ｍにより操作不可能となる。
【０１８６】
図１３は、一例としての簡易リスト画像ＭＧ２００を示す図である。図１３を参照して、簡易リスト画像ＭＧ２００には、リスト画像ＭＧ２１０が配置される。リスト画像ＭＧ２１０には、１つの放送局に対応する複数の番組簡易情報がリスト表示される。番組簡易情報は、番組の開始時刻と、番組のタイトル名とを含む。
【０１８７】
枠ＳＲ２１２は、番組簡易情報を選択するための枠である。枠ＳＲ２１２は、方向ボタン５４１Ａの短押操作により、リスト画像ＭＧ２１０内において、上に移動させることが可能である。なお、枠ＳＲ２１２が、リスト画像ＭＧ２１０内の最上部の番組簡易情報を選択する位置に配置された状態で、さらに、方向ボタン５４１Ａの短押操作があると、複数の番組簡易情報は、下にスクロール表示される。そして、枠ＳＲ２１２により選択されている番組簡易情報の１つ上の番組簡易情報が枠ＳＲ２１２により選択される。
【０１８８】
枠ＳＲ２１２は、方向ボタン５４１Ｂの短押操作により、リスト画像ＭＧ２１０内において、下に移動させることが可能である。なお、枠ＳＲ２１２が、リスト画像ＭＧ２１０内の最下部の番組簡易情報を選択する位置に配置された状態で、さらに、方向ボタン５４１Ｂの短押操作があると、複数の番組簡易情報は、上にスクロール表示される。そして、枠ＳＲ２１２により選択されている番組簡易情報の１つ下の番組簡易情報が枠ＳＲ２１２により選択される。
【０１８９】
リスト画像ＭＧ２１０には、さらに、ボタン画像ＭＢＧ２４２，ＭＢＧ２４４，ＭＢＧ２７０、ＭＢＧ２７２が配置される。
【０１９０】
ボタン画像ＭＢＧ２４２は、インターフェース操作Ｍにより押下処理されることにより、リスト画像ＭＧ２１０内に表示されている複数の番組簡易情報を、上にスクロール表示させるためのボタン画像である。ボタン画像ＭＢＧ２４４は、インターフェース操作Ｍにより押下処理されることにより、リスト画像ＭＧ２１０内に表示されている複数の番組簡易情報を、下にスクロール表示させるためのボタン画像である。
【０１９１】
ボタン画像ＭＢＧ２７０は、インターフェース操作Ｍにより押下処理されることにより、リスト画像ＭＧ２１０に表示されている放送局（たとえば、ＮＮＮテレビ）とは別の放送局（たとえば、ＫＫＫテレビ）に対応する複数の番組簡易情報がリスト表示するためのボタン画像である。登録されている放送局の順で現在の放送局の一つ前の放送局に対応する複数の番組簡易情報がリスト表示される。
【０１９２】
ボタン画像ＭＢＧ２７２は、ＭＢＧ２７０と同様、インターフェース操作Ｍにより押下処理されることにより、リスト画像ＭＧ２１０に表示されている放送局とは別の放送局（たとえば、ＳＳＳテレビ）に対応する複数の番組簡易情報がリスト表示するためのボタン画像である。登録されている放送局の順で現在の放送局の一つ後の放送局に対応する複数の番組簡易情報がリスト表示する。
【０１９３】
再び、図９を参照して、ステップＳ１２２の処理が終了すると、ステップＳ１２３の処理が行なわれる。
【０１９４】
ステップＳ１２３では、番組選択処理が行なわれる。番組選択処理では、まず、制御部５１０が、選択決定操作があるか否かを判定する。ここで、選択決定操作とは、表示部５３０に簡易リスト画像ＭＧ２００が表示されているおり、かつ、リスト画像ＭＧ２１０内の番組簡易情報が、枠ＳＲ２１２により選択されている状態で、決定ボタン５４１Ｅの短押操作が行なわれる操作である。制御部５１０は、選択決定操作があったと判定した場合、枠ＳＲ２１２により選択されている番組簡易情報に対応するＩＤ番号を、通信部５６０を利用して、映像表示装置６００へ送信する。本実施の形態では、選択決定操作において、一例として、タイトルが「Ｃ観光」に対応する番組簡易情報が、枠ＳＲ２１２により選択されているとする。
【０１９５】
この場合、制御部５１０は、番組簡易情報データテーブルＭＴ１００を構成する番組簡易リストデータに基づいて、ＩＤ番号情報を、通信部５６０を利用して、映像表示装置６００へ送信する。この場合、送信されるＩＤ番号情報は、タイトルが「Ｃ観光」のＩＤ番号（１１１２３６（図１２参照））の情報である。
【０１９６】
映像表示装置６００では、ステップＳ１１３の処理の後、ステップＳ１１４の処理が行なわれる。
【０１９７】
ステップＳ１１４では、制御部６１０がＩＤ番号情報を受信する。その後、ステップＳ１１５に進む。
【０１９８】
ステップＳ１１５では、コンテンツ表示処理が行なわれる。コンテンツ表示処理では、制御部６１０が、受信したＩＤ番号情報が示すＩＤ番号に対応する、コンテンツとしての番組の画像を表示部６３０に表示する表示処理を行なう。以下においては、受信したＩＤ番号情報が示すＩＤ番号に対応する、コンテンツとしての番組を、選択コンテンツともいう。
【０１９９】
表示処理では、まず、制御部６１０が、選択コンテンツが、現在、放送中の番組であるか否かを判定する。具体的には、制御部６１０は、日時管理処理により管理されている現在の日時が、選択コンテンツの放送開始日時よりあとの日時である場合、選択コンテンツが、現在、放送中の番組であると判定する。制御部６１０は、日時管理処理により管理されている現在の日時が、選択コンテンツの放送開始日時以前の日時である場合、選択コンテンツが、現在、放送中の番組でないと判定する。
【０２００】
選択コンテンツが、現在、放送中の番組であると判定された場合、制御部６１０は、チューナ６０５およびデータ処理部６０７およびＶＤＰ６３２を利用して、表示部６３０に、選択コンテンツのＴＶ画像を表示させる処理を行なう。なお、選択コンテンツが、現在、放送中の番組であると判定された場合、制御部６１０は、サービスサーバ８００Ａへ、選択コンテンツの配信要求を行なってもよい。この場合、サービスサーバ８００Ａは、選択コンテンツの配信要求を行なった映像表示装置６００へ、選択コンテンツに対応する動画像データのうち、現在の日時に対応する部分以降の動画像データをストリーミング配信する。そして、制御部６１０は、映像表示装置６００から、ストリーミング配信されている動画像データに基づく動画像を、表示部６３０に表示させる処理を行なう。
【０２０１】
一方、選択コンテンツが、放送終了の番組であると判定された場合、制御部６１０は、サービスサーバ８００Ａへ、選択コンテンツの配信要求を行なう。この場合、サービスサーバ８００Ａは、選択コンテンツの配信要求を行なった映像表示装置６００へ、選択コンテンツに対応する録画データを、映像表示装置６００へ、ストリーミング配信する。そして、制御部６１０は、映像表示装置６００から、ストリーミング配信されている録画データに基づく動画像を、表示部６３０に表示させる処理を行なう。その後、ステップＳ１１６の処理が行なわれる。なお、本実施の形態では、選択コンテンツに対応する番組は、一例として、タイトルが「Ｃ観光」に対応する番組であるとする。
【０２０２】
ステップＳ１１６では、コンテンツ関連情報送信処理が行なわれる。コンテンツ関連情報とは、表示部６３０に表示されている、コンテンツとしての番組に関連する情報である。本実施の形態では、コンテンツ関連情報は、番組タイトルであるとする。なお、コンテンツ関連情報は、番組タイトルに限定されることなく、たとえば、ジャンルの情報、出演者の情報等であってもよい。
【０２０３】
コンテンツ関連情報送信処理では、制御部６１０が、コンテンツ関連情報としての番組タイトル情報を、通信端末装置５００へ送信する。ここでは、番組タイトルは、一例として、「Ｃ観光」であるとする。
【０２０４】
通信端末装置５００では、ステップＳ１２３の処理において、選択決定操作があると判定され、ＩＤ番号情報が映像表示装置６００へ送信された場合、ステップＳ１２４に進む。
【０２０５】
ステップＳ１２４では、制御部５１０が、通信部５６０を利用して、コンテンツ関連情報（番組タイトル情報）を受信する。その後、ステップＳ１２５に進む。
【０２０６】
ステップＳ１２５では、検索情報を送信する検索情報送信処理が行なわれる。検索情報は、コンテンツ関連情報（番組タイトル情報）である。ここでは、検索情報は、番組タイトル情報であるとする。すなわち、検索情報は、「Ｃ観光」という情報である。
【０２０７】
制御部５１０は、通信部５６６を利用して、検索情報を、電話網６０およびネットワーク７０を介して、検索サーバ８００Ｓへ送信する。なお、制御部５１０は、通信部５６２を利用して、検索情報を、通信部５０およびネットワーク７０を介して、検索サーバ８００Ｓへ送信してもよい。
【０２０８】
検索サーバ８００Ｓでは、まず、ステップＳ１５０の処理が行なわれる。
ステップＳ１５０では、検索情報を受信したか否かが判定される。ステップＳ１５０において、ＹＥＳならば、ステップＳ１５１に進む。一方、ステップＳ１５１において、ＮＯならば、再度、ステップＳ１５０の処理が行なわれる。ここでは、検索サーバ８００Ｓが、検索情報（「Ｃ観光」）を受信したとして、ステップＳ１５１に進む。
【０２０９】
ステップＳ１５１では、検索処理が行なわれる。検索処理では、受信した検索情報（「Ｃ観光」）を、キーワードとして、キーワードに関連する情報のＷｅｂページのＵＲＬを、検索サーバ８００Ｓに記憶されている情報のデータベースから検索する処理が行なわれる。なお、検索サーバ８００Ｓにネットワーク接続されている他の装置が有する情報のデータベースから検索する処理が行なわれてもよい。検索情報は、前述したようにコンテンツ関連情報（番組タイトル情報）であるので、検索処理では、コンテンツ関連情報に関連する情報のＷｅｂページのＵＲＬを検索する処理が行なわれる。その後、ステップＳ１５２に進む。
【０２１０】
ステップＳ１５２では、検索サーバ８００Ｓが、検索処理により以下の検索結果データＤ１００を生成し、生成した検索結果データＤ１００を、ネットワーク７０および電話網６０を介して、通信端末装置５００へ送信する。なお、検索サーバ８００Ｓは、以下の検索結果データＤ１００を、ネットワーク７０および通信部５０を介して、通信端末装置５００へ送信してもよい。その後、再度、ステップＳ１５０の処理が行なわれる。
【０２１１】
図１４は、一例としての検索結果データＤ１００を示す図である。図１４を参照して、検索結果データＤ１００は、複数のＷｅｂページデータから構成される。図１４において、「番号」とは、複数のＷｅｂページデータを管理するための番号である。「タイトル」とは、Ｗｅｂページのタイトルである。「ＵＲＬ」とは、対応するＷｅｂページのＵＲＬである。
【０２１２】
再び、図９を参照して、通信端末装置５００では、ステップＳ１２５の処理の後、ステップＳ１２６に進む。
【０２１３】
ステップＳ１２６では、制御部５１０が、通信部５６６または通信部５６２を利用して、検索サーバ８００Ｓから送信された検索結果データＤ１００を受信する。そして、制御部５１０は、検索結果データＤ１００を一時記憶部５２２に記憶させる。その後、ステップＳ１２７に進む。
【０２１４】
ステップＳ１２７では、検索結果表示処理が行なわれる。検索結果表示処理では、制御部５１０が、受信した検索結果データＤ１００に基づいて、ＶＤＰ５３２を利用して、以下の検索結果画像ＭＧ３００を生成し、生成した検索結果画像ＭＧ３００を表示部５３０に表示させる。
【０２１５】
図１５は、一例としての検索結果画像ＭＧ３００を示す図である。図１５を参照して、検索結果画像ＭＧ３００には、リスト画像ＭＧ３１０が配置される。リスト画像ＭＧ３１０には、検索結果データＤ１００を構成する複数のＷｅｂページデータの一部のＷｅｂページデータに対応する複数のタイトルが表示される。
【０２１６】
枠ＳＲ３１２は、タイトルを選択するための枠である。枠ＳＲ３１２は、方向ボタン５４１Ａの短押操作により、リスト画像ＭＧ３１０内において、上に移動させることが可能である。なお、枠ＳＲ３１２が、リスト画像ＭＧ３１０内の最上部のタイトルを選択する位置に配置された状態で、さらに、方向ボタン５４１Ａの短押操作があると、複数のタイトルは、下にスクロール表示される。そして、枠ＳＲ３１２により選択されているタイトルの１つ上のタイトルが枠ＳＲ３１２により選択される。
【０２１７】
枠ＳＲ３１２は、方向ボタン５４１Ｂの短押操作により、リスト画像ＭＧ３１０内において、下に移動させることが可能である。なお、枠ＳＲ３１２が、リスト画像ＭＧ３１０内の最下部のタイトルを選択する位置に配置された状態で、さらに、方向ボタン５４１Ｂの短押操作があると、複数のタイトルは、上にスクロール表示される。そして、枠ＳＲ３１２により選択されているタイトルの１つ下のタイトルが枠ＳＲ３１２により選択される。
【０２１８】
検索結果画像ＭＧ３００には、さらに、ボタン画像ＭＢＧ３４２，ＭＢＧ３４４，ＭＢＧ３８０，ＭＢＧ３９０が配置される。
【０２１９】
ボタン画像ＭＢＧ３４２は、インターフェース操作Ｍにより押下処理されることにより、リスト画像ＭＧ３１０内に表示されている複数のタイトルを、上にスクロール表示させるためのボタン画像である。ボタン画像ＭＢＧ３４４は、インターフェース操作Ｍにより押下処理されることにより、リスト画像ＭＧ３１０内に表示されている複数のタイトルを、下にスクロール表示させるためのボタン画像である。
【０２２０】
ボタン画像ＭＢＧ３８０は、インターフェース操作Ｍにより押下処理されることにより、通信端末装置５００がリモコンモードに設定されている場合、通信端末装置５００のリモコンモードを解除するためのボタン画像である。ボタン画像ＭＢＧ３９０は、インターフェース操作Ｍにより押下処理されることにより、表示部５３０から、検索結果画像ＭＧ３００を消去するためのボタン画像である。
【０２２１】
再び、図９を参照して、ステップＳ１２７の処理が終了すると、ステップＳ１２８の処理が行なわれる。
【０２２２】
ステップＳ１２８では、タイトル選択処理が行なわれる。タイトル選択処理では、まず、制御部５１０が、選択決定操作Ｔがあるか否かを判定する。ここで、選択決定操作Ｔとは、表示部５３０に検索結果画像ＭＧ３００が表示されているおり、かつ、リスト画像ＭＧ３１０内のタイトルが、枠ＳＲ３１２により選択されている状態で、決定ボタン５４１Ｅの短押操作が行なわれる操作である。制御部５１０は、選択決定操作Ｔがあったと判定した場合、枠ＳＲ３１２により選択されているタイトルに対応するＵＲＬの情報を、通信部５６０を利用して、映像表示装置６００へ送信する。本実施の形態では、選択決定操作Ｔにおいて、一例として、「観光ガイド」というタイトルが、枠ＳＲ３１２により選択されているとする。
【０２２３】
この場合、制御部５１０は、検索結果データＤ１００を参照して、ＵＲＬ情報を、通信部５６０を利用して、映像表示装置６００へ送信する。この場合、送信されるＵＲＬ情報は、タイトルが「観光ガイド」に対応するＵＲＬ（http://www.bbb.com/）の情報である。その後、制御部５１０は、通信端末装置５００を、リモコンモードに設定する。これにより、通信端末装置５００は、映像表示装置６００を、インターフェース操作Ｍにより操作可能となる。
【０２２４】
映像表示装置６００では、ステップＳ１１６の処理の後、ステップＳ１１７の処理が行なわれる。
【０２２５】
ステップＳ１１７では、制御部６１０がＵＲＬ情報を受信する。その後、ステップＳ１１８に進む。ここでは、受信されたＵＲＬ情報は、タイトルが「観光ガイド」に対応するＵＲＬ（http://www.bbb.com/）の情報であるとする。
【０２２６】
ステップＳ１１８では、制御部６１０が、通信部６６２を利用して、受信したＵＲＬ情報に基づくＵＲＬのＷｅｂページデータを取得するためのＷｅｂページデータ要求を、Ｗｅｂサーバ８００Ｗへ送信する。ここで、Ｗｅｂページデータは、コンテンツデータおよび、コンテンツデータの配置位置や動作などの制御を行なうためのＨＴＭＬ（HyperText Markup Language）データを含む。また、コンテンツデータは、動画像データ、静止画像データ、テキストデータ等を含む。
【０２２７】
Ｗｅｂサーバ８００Ｗでは、まず、ステップＳ１６０の処理が行なわれる。
ステップＳ１６０では、Ｗｅｂページデータ要求を受信したか否かが判定される。ステップＳ１６０において、ＹＥＳならば、ステップＳ１６１に進む。一方、ステップＳ１６０において、ＮＯならば、再度、ステップＳ１６０の処理が行なわれる。ここでは、Ｗｅｂサーバ８００Ｗが、タイトルが「観光ガイド」に対応するＵＲＬ（http://www.bbb.com/）のＷｅｂページデータを取得するためのＷｅｂページデータ要求を受信したとして、ステップＳ１６１に進む。
【０２２８】
ステップＳ１６１では、Ｗｅｂサーバ８００Ｗが、Ｗｅｂページデータを、映像表示装置６００へ送信する。その後、再度、ステップＳ１６０の処理が行なわれる。なお、送信されたＷｅｂページデータは、タイトルが「観光ガイド」に対応するＵＲＬ（http://www.bbb.com/）のＷｅｂページデータであるとする。
【０２２９】
映像表示装置６００では、ステップＳ１１８の処理の後，ステップＳ１１８Ａに進む。
ステップＳ１１８Ａでは、制御部６１０が、通信部６６２を利用して、Ｗｅｂサーバ８００Ｗから送信されたＷｅｂページデータを受信する。すなわち、制御部６１０は、通信部６６２を利用して、高速なデータ通信が可能なネットワーク７０および通信部５０を介してＷｅｂページデータを受信する。したがって、制御部６１０は、短時間で、Ｗｅｂページデータを受信することができる。その後、ステップＳ１１９に進む。
【０２３０】
ステップＳ１１９では、Ｗｅｂページ表示処理が行なわれる。Ｗｅｂページ表示処理では、制御部６１０が、受信したＷｅｂページデータに基づいて、ＶＤＰ６３２を利用して、以下のＷｅｂページ画像Ｇ２００を生成し、生成したＷｅｂページ画像Ｇ２００を表示部６３０に表示させる。
【０２３１】
図１６は、一例としてのＷｅｂページ画像Ｇ２００を示す図である。図１６を参照して、Ｗｅｂページ画像Ｇ２００には、動画像表示画像Ｇ２２０と、情報表示画像Ｇ２４０と、静止画像表示画像Ｇ２５０と、ハイパーリンク文字列表示画像Ｇ２３０とが配置される。
【０２３２】
動画像表示画像Ｇ２２０には、動画像が表示される。表示される動画像は、たとえば、観光地を撮影した動画像である。情報表示画像Ｇ２４０は、文章が表示される画像である。当該文章は、たとえが、観光地の説明の文章である。静止画像表示画像Ｇ２５０は、静止画像が表示される。当該静止画像は、たとえば、観光地を撮影した静止画像である。
【０２３３】
ハイパーリンク文字列表示画像Ｇ２３０には、他のＷｅｂページを表示させるための複数のハイパーリンク文字列が表示される。複数のハイパーリンク文字列は、たとえば、「周辺地図」、「コラム」という文字列である。
【０２３４】
Ｗｅｂページ画像Ｇ２００には、Ｗｅｂページデータにより表示される画像ではなく、プログラム１８０Ａが表示する画像として、さらに、ＵＲＬ表示画像ＢＧ２１０、ボタン画像ＢＧ２８１，ＢＧ２８２，ＢＧ２８４が配置される。
【０２３５】
ＵＲＬ表示画像ＢＧ２１０は、Ｗｅｂページ画像Ｇ２００を生成するためのＷｅｂページデータのＵＲＬが表示される。
【０２３６】
ボタン画像ＢＧ２８１は、通信端末装置５００において、ボタン画像ＢＧ２８１を押下処理するためのリモコン信号を、映像表示装置６００へ送信するためのインターフェース操作Ｍがあった場合、表示部６３０に、現在、表示されているＷｅｂページ画像の前に、表示部６３０に表示されていたＷｅｂページ画像（以下、旧Ｗｅｂページ画像ともいう）が存在する場合、旧Ｗｅｂページ画像を表示部６３０に表示させるためのボタン画像である。
【０２３７】
ボタン画像ＢＧ２８２は、通信端末装置５００において、ボタン画像ＢＧ２８２を押下処理するためのリモコン信号を、映像表示装置６００へ送信するためのインターフェース操作Ｍがあった場合、Ｗｅｂページ画像Ｇ２００に関連する他のＷｅｂページ画像を表示部６３０に表示させるためのボタン画像である。
【０２３８】
ボタン画像ＢＧ２８４は、通信端末装置５００において、ボタン画像ＢＧ２８４を押下処理するためのリモコン信号を、映像表示装置６００へ送信するためのインターフェース操作Ｍがあった場合、表示部６３０から、Ｗｅｂページ画像Ｇ２００を消去させるためのボタン画像である。
【０２３９】
図９および図１６を参照して、Ｗｅｂページ画像Ｇ２００が表示部６３０に表示された状態で、インターフェース操作Ｍがあると、以下の処理が行なわれる。
【０２４０】
たとえば、Ｗｅｂページ画像Ｇ２００内のハイパーリンク文字列表示画像Ｇ２３０に表示されている「周辺地図」という文字列が、通信端末装置５００のインターフェース操作Ｍにより選択された状態で、決定ボタン５４１Ｅの短押操作が行なわれると以下の処理Ａが行なわれる。処理Ａでは、制御部６１０が、「周辺地図」に関連付けされている、地図を表示したＷｅｂページ画像を、ＶＤＰ６３２を利用して、Ｗｅｂページ画像Ｇ２００の代わりに表示部６３０に表示させる。
【０２４１】
なお、インターフェース操作Ｍによる、Ｗｅｂページ画像Ｇ２００内のボタン画像ＢＧ２８４を押下処理するためのリモコン信号を、通信端末装置５００から受信したと、制御部６１０が判定すると、制御部６１０は、ＶＤＰ６３２を利用して、表示部６３０からＷｅｂページ画像Ｇ２００を消去する。そして、制御部６１０は、ＶＤＰ６３２を利用して、Ｗｅｂページ画像Ｇ２００が表示される前に、ステップＳ１１５の処理により表示されていた画像を、表示部６３０に表示させる。その後、この映像表示装置６００における処理は終了する。
【０２４２】
なお、通信端末装置５００の表示部５３０に、検索結果画像ＭＧ３００が表示されている状態で、リモコンモード解除操作があったことを、制御部５１０が判定すると、制御部５１０は、通信端末装置５００のリモコンモードを解除する。ここで、リモコンモード解除操作とは、ボタン画像ＭＢＧ３８０が、インターフェース操作Ｍにより押下処理される操作である。
【０２４３】
また、通信端末装置５００の表示部５３０に、検索結果画像ＭＧ３００が表示されている状態で、終了操作があったことを、制御部５１０が判定すると、制御部５１０は、ステップＳ１２８の処理を終了させ、通信端末装置５００の処理を終了させる。ここで、終了操作とは、ボタン画像ＭＢＧ３９０が、インターフェース操作Ｍにより押下処理される操作である。
【０２４４】
以上説明したように、本実施の形態では、現在、映像表示装置６００の表示部６３０に表示されている、コンテンツとしての画像に関連するコンテンツ関連情報を、映像表示装置６００が、通信端末装置５００へ送信する。そして、通信端末装置５００は、コンテンツ関連情報を受信する。そして、通信端末装置５００は、コンテンツ関連情報を検索情報として検索サーバ８００Ｓへ送信する。検索サーバ８００Ｓは、受信した検索情報（コンテンツ関連情報）を利用して、コンテンツ関連情報に関連する情報のＷｅｂページのＵＲＬを検索する処理を行なう。
【０２４５】
そして、検索サーバ８００Ｓは、複数のＷｅｂページデータから構成される検索結果データを、コンテンツを表示している映像表示装置６００とは別の装置である通信端末装置５００へ送信する。通信端末装置５００では、受信した検索結果データのうち、ユーザにより選択されたタイトルに対応する、ネットワークアドレスとしてのＵＲＬの情報を、映像表示装置６００へ送信する。そして、映像表示装置６００は、受信したＵＲＬの情報に基づき、対応するＷｅｂページ画像を、表示部６３０に表示させる。なお、表示部６３０の解像度は、表示部５３０の解像度より大きい。
【０２４６】
以上の処理が行なわれることにより、映像表示装置６００の表示部６３０にコンテンツを表示させた状態で、当該コンテンツに関連するコンテンツ関連情報に関連する情報のＷｅｂページのＵＲＬを検索することができる。したがって、ユーザが視聴中のコンテンツの見易さを低下させることなく、コンテンツに関連するコンテンツ関連情報に関連する情報を表示したＷｅｂページのＵＲＬを検索することができる。
【０２４７】
そして、映像表示装置６００の表示部６３０にコンテンツが表示されている状態で、通信端末装置５００は、検索結果に基づき、ユーザにより選択されたタイトルに対応するＵＲＬ情報を、映像表示装置６００へ送信する。映像表示装置６００では、ユーザにより選択された、ユーザの所望する情報に対応するタイトルに関連するＷｅｂページ画像を、通信端末装置５００の表示部５３０の解像度より、解像度の高い表示部６３０に表示させることができる。したがって、コンテンツ関連情報に関連する情報のＷｅｂページの情報を、ユーザは、高い閲覧性で参照することができる。
【０２４８】
以上により、情報を選択する期間における表示中のコンテンツの見易さを低下させることなく、迅速に、所望の情報を参照することができるという効果を奏する。
【０２４９】
＜第２の実施の形態＞
第１の実施の形態では、通信端末装置５００が、検索情報を検索サーバ８００Ｓへ送信する場合に行なわれる処理について説明した。本実施の形態では、映像表示装置６００が、検索情報を検索サーバ８００Ｓへ送信する場合に行なわれる処理について説明する。
【０２５０】
本実施の形態におけるネットワークシステムは、第１の実施の形態におけるネットワークシステム１０００と同様なので詳細な説明は繰り返さない。通信端末装置５００および映像表示装置６００の各々の構成は、第１の実施の形態において、説明した構成と同様なので詳細な説明は繰り返さない。
【０２５１】
次に、本実施の形態において、コンテンツに関連する情報を表示させるための処理（以下、コンテンツ関連情報表示処理Ａともいう）について説明する。なお、通信端末装置５００の表示部５３０にリモコン画像ＭＧ１００が表示されているとする。この場合、通信端末装置５００は、リモコンモードに設定されているとする。
【０２５２】
図１７は、コンテンツ関連情報表示処理Ａのフローチャートである。図１７では、通信端末装置５００、映像表示装置６００、サービスサーバ８００Ａ、検索サーバ８００ＳおよびＷｅｂサーバ８００Ｗの各々において行なわれる処理を示す。
【０２５３】
映像表示装置６００では、電源がオンされると自動的にステップＳ２１０の処理が行なわれる。なお、ステップＳ２１０の処理は、電源がオンされると自動的に行なわれるのではなく、インターフェース操作Ｔ、または、リモコンモードに設定された通信端末装置５００におけるインターフェース操作Ｍにより、実行されてもよい。
【０２５４】
また、映像表示装置６００の電源がオンされると、制御部６１０は、現在の日時を管理する日時管理処理を、他の処理とは独立して自動的に行なう。したがって、日時管理処理により管理されている現在の日時の情報は、時間の経過と共に変化する。
【０２５５】
ステップＳ２１０では、図９のステップＳ１１０と同様な処理が行なわれるので詳細な説明は繰り返さない。これにより、制御部６１０が、通信部６６２を利用して、番組データ取得要求を、通信部５０およびネットワーク７０を介して、サービスサーバ８００Ａへ送信する。
【０２５６】
サービスサーバ８００Ａでは、まず、ステップＳ２４０の処理が行なわれる。
ステップＳ２４０では、ステップＳ２４０と同様な処理が行なわれるので詳細な説明は繰り返さない。ステップＳ２４０において、ＹＥＳならば、ステップＳ２４１に進む。一方、ステップＳ２４０において、ＮＯならば、再度、ステップＳ２４０の処理が行なわれる。
【０２５７】
ステップＳ２４１では、サービスサーバ８００Ａが、番組データ取得要求を送信した装置に対し、番組データとしてのＥＰＧデータを送信する。その後、再度、ステップＳ２４０の処理が行なわれる。
【０２５８】
そして、映像表示装置６００の制御部６１０は、第１の実施の形態で説明したＥＰＧデータを受信する。制御部６１０は、ＥＰＧデータを受信すると、記憶部６２０にＥＰＧデータを記憶させる。
【０２５９】
通信端末装置５００では、まず、ステップＳ２２０の処理が行なわれる。
ステップＳ２２０では、ステップＳ１２０と同様に番組表表示制御操作があるか否かが判定される。ステップＳ２２０において、ＹＥＳならば、ステップＳ２２０Ａに進む。一方、ステップＳ２２０において、ＮＯならば、再度、ステップＳ２２０の処理が行なわれる。
【０２６０】
ステップＳ２２０Ａでは、制御部５１０が、第１の実施の形態で説明した番組表表示リモコン信号を、通信部５６０を利用して、映像表示装置６００へ送信する。
【０２６１】
映像表示装置６００では、ステップＳ２１０の処理の後、ステップＳ２１１に進む。
ステップＳ２１１では、制御部６１０が、番組表表示リモコン信号を受信する。その後、ステップＳ２１２に進む。
【０２６２】
ステップＳ２１２では、ステップＳ１１２と同様な番組表画像表示処理が行なわれるので詳細な説明は繰り返さない。この処理により、表示部６３０に、図１１の番組表画像ＴＧ１００が表示される。その後、ステップＳ２１３に進む。
【０２６３】
ステップＳ２１３では、ステップＳ１１３と同様に番組簡易リストデータの送信が行なわれるので詳細な説明は繰り返さない。前述したように、番組簡易リストデータは、図１２の番組簡易情報データテーブルＭＴ１００を構成するデータである。
【０２６４】
通信端末装置５００では、ステップＳ２２０Ａの処理の後、ステップＳ２２１に進む。
ステップＳ２２１では、制御部５１０が、番組簡易リストデータを受信する。その後、ステップＳ２２２に進む。
【０２６５】
ステップＳ２２２では、ステップＳ１２２と同様に簡易リスト表示処理が行なわれるので詳細な説明は繰り返さない。この処理により、表示部５３０には、図１３の簡易リスト画像ＭＧ２００が表示される。そして、制御部５１０は、通信端末装置５００のリモコンモードを解除する。これにより、通信端末装置５００は、映像表示装置６００を、インターフェース操作Ｍにより操作不可能となる。その後、ステップＳ２２３に進む。
【０２６６】
ステップＳ２２３では、番組選択処理が行なわれる。番組選択処理では、まず、制御部５１０が、選択決定操作があるか否かを判定する。選択決定操作とは、第１の実施の形態で説明したように、表示部５３０に簡易リスト画像ＭＧ２００が表示されているおり、かつ、リスト画像ＭＧ２１０内の番組簡易情報が、枠ＳＲ２１２により選択されている状態で、決定ボタン５４１Ｅの短押操作が行なわれる操作である。制御部５１０は、選択決定操作があったと判定した場合、枠ＳＲ２１２により選択されている番組簡易情報に対応するＩＤ番号を、通信部５６０を利用して、映像表示装置６００へ送信する。本実施の形態では、選択決定操作において、一例として、タイトルが「Ｃ観光」に対応する番組簡易情報が、枠ＳＲ２１２により選択されているとする。
【０２６７】
この場合、制御部５１０は、番組簡易情報データテーブルＭＴ１００を構成する番組簡易リストデータから、ＩＤ番号情報を、通信部５６０を利用して、映像表示装置６００へ送信する。この場合、送信されるＩＤ番号情報は、タイトルが「Ｃ観光」のＩＤ番号の情報である。
【０２６８】
映像表示装置６００では、ステップＳ２１３の処理の後、ステップＳ２１４の処理が行なわれる。
【０２６９】
ステップＳ２１４では、制御部６１０がＩＤ番号情報を受信する。その後、ステップＳ２１５に進む。
【０２７０】
ステップＳ２１５では、コンテンツ表示処理が行なわれる。コンテンツ表示処理では、制御部６１０が、受信したＩＤ番号情報が示すＩＤ番号に対応する、コンテンツとしての番組の画像を表示部６３０に表示する表示処理を行なう。以下においては、受信したＩＤ番号情報が示すＩＤ番号に対応する、コンテンツとしての番組を、選択コンテンツともいう。
【０２７１】
表示処理は、ステップＳ１１５の表示処理と同様な処理なので詳細な説明は繰り返さない。この表示処理により、選択コンテンツに対応する動画像が、表示部６３０に表示される。その後、ステップＳ２１６Ｂの処理が行なわれる。なお、本実施の形態では、選択コンテンツに対応する番組は、タイトルが「Ｃ観光」に対応する番組であるとする。
【０２７２】
ステップＳ２１６Ｂでは、検索情報を送信する検索情報送信処理が行なわれる。検索情報は、表示部６３０に表示されている、コンテンツとしての番組に対応するコンテンツ関連情報である。本実施の形態では、コンテンツ関連情報は、番組タイトルであるとする。したがって、検索情報は、番組タイトルの情報であるとする。すなわち、検索情報は、「Ｃ観光」という情報である。なお、コンテンツ関連情報は、番組タイトルに限定されることなく、たとえば、ジャンルの情報、出演者の情報等であってもよい。
【０２７３】
制御部６１０は、通信部６６２を利用して、検索情報を、通信部５０およびネットワーク７０を介して、検索サーバ８００Ｓへ送信する。
【０２７４】
検索サーバ８００Ｓでは、まず、ステップＳ２５０の処理が行なわれる。
ステップＳ２５０では、検索情報を受信したか否かが判定される。ステップＳ２５０において、ＹＥＳならば、ステップＳ２５１に進む。一方、ステップＳ２５１において、ＮＯならば、再度、ステップＳ２５０の処理が行なわれる。ここでは、検索サーバ８００Ｓが、検索情報（「Ｃ観光」）を受信したとして、ステップＳ２５１に進む。
【０２７５】
ステップＳ２５１では、検索処理が行なわれる。検索処理では、受信した検索情報（「Ｃ観光」）を、キーワードとして、キーワードに関連する情報のＷｅｂページのＵＲＬを、検索サーバ８００Ｓに記憶されている情報のデータベースから検索する処理が行なわれる。なお、検索サーバ８００Ｓにネットワーク接続されている他の装置が有する情報のデータベースから検索する処理が行なわれてもよい。検索情報は、前述したようにコンテンツ関連情報（番組タイトル情報）であるので、検索処理では、コンテンツ関連情報に関連する情報のＷｅｂページのＵＲＬを検索する処理が行なわれる。その後、ステップＳ２５２に進む。
【０２７６】
ステップＳ２５２では、検索サーバ８００Ｓは、検索処理により、図１４の検索結果データＤ１００を生成し、生成した検索結果データＤ１００を、ネットワーク７０および通信部５０を介して、映像表示装置６００へ送信する。その後、再度、ステップＳ２５０の処理が行なわれる。
【０２７７】
映像表示装置６００では、ステップＳ２１６Ｂの処理の後、ステップＳ２１６Ｃに進む。
【０２７８】
ステップＳ２１６Ｃでは、制御部６１０が、通信部６６２を利用して、検索サーバ８００Ｓから送信された検索結果データＤ１００を受信する。そして、制御部６１０は、通信部６６０を利用して、受信した検索結果データＤ１００を、通信端末装置５００へ送信（転送）する。
【０２７９】
通信端末装置５００では、ステップＳ２２３の処理において、選択決定操作があると判定され、ＩＤ番号情報が映像表示装置６００へ送信された場合、ステップＳ２２６に進む。
【０２８０】
ステップＳ２２６では、制御部５１０が、通信部５６０を利用して、通信端末装置５００から送信された検索結果データＤ１００を受信する。そして、制御部５１０は、検索結果データＤ１００を一時記憶部５２２に記憶させる。その後、ステップＳ２２７に進む。
【０２８１】
ステップＳ２２７では、ステップＳ１２７と同様に検索結果表示処理が行なわれるので詳細な説明は繰り返さない。この処理により、表示部５３０には、図１５の検索結果画像ＭＧ３００が表示される。その後、ステップＳ２２８に進む。
【０２８２】
ステップＳ２２８では、ステップＳ１２８と同様にタイトル選択処理が行なわれる。タイトル選択処理では、まず、制御部５１０が、選択決定操作Ｔがあるか否かを判定する。ここで、選択決定操作Ｔとは、前述したように、表示部５３０に検索結果画像ＭＧ３００が表示されているおり、かつ、リスト画像ＭＧ３１０内のタイトルが、枠ＳＲ３１２により選択されている状態で、決定ボタン５４１Ｅの短押操作が行なわれる操作である。制御部５１０は、選択決定操作Ｔがあったと判定した場合、枠ＳＲ３１２により選択されているタイトルに対応するＵＲＬの情報を、通信部５６０を利用して、映像表示装置６００へ送信する。本実施の形態では、選択決定操作Ｔにおいて、一例として、「観光ガイド」というタイトルが、枠ＳＲ３１２により選択されているとする。
【０２８３】
この場合、制御部５１０は、検索結果データＤ１００を参照して、ＵＲＬ情報を、通信部５６０を利用して、映像表示装置６００へ送信する。この場合、送信されるＵＲＬ情報は、タイトルが「観光ガイド」に対応するＵＲＬ（http://www.bbb.com/）の情報である。なお、ここでは、ＵＲＬ情報を通信部５６０を利用して映像表示装置６００へ送信したが、通信部５６２を利用し、通信部５０、ネットワーク７０を経由して直接Ｗｅｂサーバ８００Ｗに送信してもよい。その後、制御部５１０は、通信端末装置５００を、リモコンモードに設定する。これにより、通信端末装置５００は、映像表示装置６００を、インターフェース操作Ｍにより操作可能となる。
【０２８４】
映像表示装置６００では、ステップＳ２１６Ｃの処理の後、ステップＳ２１７の処理が行なわれる。ただし、ステップＳ２２８で、通信端末装置５００が直接Ｗｅｂサーバ８００ＷにＵＲＬ情報を送信した場合は、ステップＳ２１７へは進まず、終了する。
【０２８５】
ステップＳ２１７では、制御部６１０がＵＲＬ情報を受信する。その後、ステップＳ２１８に進む。ここでは、受信されたＵＲＬ情報は、タイトルが「観光ガイド」に対応するＵＲＬ（http://www.bbb.com/）の情報であるとする。
【０２８６】
ステップＳ２１８では、ステップＳ１１８と同様に、制御部６１０が、通信部６６２を利用して、受信したＵＲＬ情報に基づくＵＲＬのＷｅｂページデータを取得するためのＷｅｂページデータ要求を、Ｗｅｂサーバ８００Ｗへ送信する。ここで、Ｗｅｂページデータは、前述したように、コンテンツデータおよび、コンテンツデータの配置位置や、動作などの制御を行なうためのＨＴＭＬデータを含む。また、コンテンツデータは、動画像データ、静止画像データ、テキストデータ等を含む。
【０２８７】
Ｗｅｂサーバ８００Ｗでは、まず、ステップＳ２６０の処理が行なわれる。
ステップＳ２６０では、Ｗｅｂページデータ要求を受信したか否かが判定される。ステップＳ２６０において、ＹＥＳならば、ステップＳ２６１に進む。一方、ステップＳ２６０において、ＮＯならば、再度、ステップＳ２６０の処理が行なわれる。ここでは、Ｗｅｂサーバ８００Ｗが、タイトルが「観光ガイド」に対応するＵＲＬ（http://www.bbb.com/）のＷｅｂページデータを取得するためのＷｅｂページデータ要求を受信したとして、ステップＳ２６１に進む。
【０２８８】
ステップＳ２６１では、Ｗｅｂサーバ８００Ｗが、Ｗｅｂページデータを、映像表示装置６００へ送信する。その後、再度、ステップＳ２６０の処理が行なわれる。なお、送信されたＷｅｂページデータは、タイトルが「観光ガイド」に対応するＵＲＬ（http://www.bbb.com/）のＷｅｂページデータであるとする。なお、ステップＳ２２８で、通信端末装置５００が直接Ｗｅｂサーバ８００ＷにＵＲＬ情報を送信した場合は、Ｗｅｂサーバ８００Ｗが、Ｗｅｂページデータを、映像表示装置５００へ送信する。
【０２８９】
映像表示装置６００では、ステップＳ２１８の処理の後，ステップＳ２１８Ａに進む。
ステップＳ２１８Ａでは、制御部６１０が、通信部６６２を利用して、Ｗｅｂサーバ８００Ｗから送信されたＷｅｂページデータを受信する。すなわち、制御部６１０は、通信部６６２を利用して、高速なデータ通信が可能なネットワーク７０および通信部５０を介してＷｅｂページデータを受信する。したがって、制御部６１０は、短時間で、Ｗｅｂページデータを受信することができる。そして、制御部６１０は、通信部６６０を利用して、受信したＷｅｂページデータを、通信端末装置５００へ送信（転送）する。その後、この映像表示装置６００における処理は終了する。
【０２９０】
通信端末装置５００では、ステップＳ２２８の処理の後、ステップＳ２２８Ａに進む。
ステップＳ２２８Ａでは、制御部５１０が、通信部５６０を利用して、映像表示装置６００から送信されたＷｅｂページデータを受信する。なお、ステップＳ２２８で、通信端末装置５００が直接Ｗｅｂサーバ８００ＷにＵＲＬ情報を送信した場合は、制御部５１０が、通信部５６２を利用して、Ｗｅｂサーバ８００Ｗから送信されたＷｅｂページデータを受信する。すなわち、通信端末装置５００は、電話網６０を介して、Ｗｅｂページデータを受信しない。そのため、受信したＷｅｂページデータのデータ量に応じたパケット料金は発生しない。また、通信端末装置５００と映像表示装置６００とのデータ通信の速度は、通信端末装置５００と電話網６０とのデータ通信の速度よりも、十分に速い。そのため、通信端末装置５００が、Ｗｅｂサーバ８００Ｗから、ネットワーク７０、通信部５０および映像表示装置６００を介して、Ｗｅｂページデータを受信する場合、ネットワーク７０および電話網６０を介してＷｅｂページデータを受信する場合よりも短時間で、Ｗｅｂページデータを受信することができる。
【０２９１】
同様に、通信端末装置５００と通信部５０とのデータ通信の速度は、通信端末装置５００と電話網６０とのデータ通信の速度よりも、十分に速い。そのため、通信端末装置５００が、Ｗｅｂサーバ８００Ｗから、ネットワーク７０、通信部５０を介して、Ｗｅｂページデータを受信する場合、ネットワーク７０および電話網６０を介してＷｅｂページデータを受信する場合よりも短時間で、Ｗｅｂページデータを受信することができる。その後、ステップＳ２２９に進む。
【０２９２】
ステップＳ２２９では、Ｗｅｂページ表示処理が行なわれる。Ｗｅｂページ表示処理では、制御部５１０が、受信したＷｅｂページデータに基づいて、ＶＤＰ５３２を利用して、以下のＷｅｂページ画像ＭＧ４００を生成し、生成したＷｅｂページ画像ＭＧ４００を表示部５３０に表示させる。
【０２９３】
図１８は、一例としてのＷｅｂページ画像ＭＧ４００を示す図である。図１８を参照して、Ｗｅｂページ画像ＭＧ４００には、静止画像表示画像ＭＧ４２０と、情報表示画像ＭＧ４４０と、ハイパーリンク文字列表示画像ＭＧ４３０とが配置される。
【０２９４】
静止画像表示画像ＭＧ４２０は、静止画像が表示される。当該静止画像は、たとえば、観光地を撮影した静止画像である。情報表示画像ＭＧ４４０は、文章が表示される画像である。当該文章は、たとえが、観光地の説明の文章である。
【０２９５】
ハイパーリンク文字列表示画像ＭＧ４３０には、他のＷｅｂページを表示させるための複数のハイパーリンク文字列が表示される。複数のハイパーリンク文字列は、たとえば、「周辺地図」、「コラム」という文字列である。
【０２９６】
Ｗｅｂページ画像ＭＧ４００には、さらに、Ｗｅｂページデータにより表示される画像ではなく、プログラム１８０が表示する画像として、ＵＲＬ表示画像ＢＭＧ４１０と、ボタン画像ＭＢＧ４８０，ＭＢＧ４８１，ＭＢＧ４８２，ＭＢＧ４９０が配置される。
【０２９７】
ＵＲＬ表示画像ＢＭＧ４１０は、Ｗｅｂページ画像ＭＧ４００を生成するためのＷｅｂページデータのＵＲＬが表示される。ボタン画像ＭＢＧ４８０は、インターフェース操作Ｍにより押下処理されることにより、通信端末装置５００がリモコンモードに設定されている場合、通信端末装置５００のリモコンモードを解除するためのボタン画像である。ボタン画像ＭＢＧ４８１は、インターフェース操作Ｍにより押下処理されることにより、表示部５３０に、現在、表示されているＷｅｂページ画像の前に、表示部５３０に表示されていたＷｅｂページ画像（以下、旧Ｗｅｂページ画像ともいう）が存在する場合、旧Ｗｅｂページ画像を表示部５３０に表示させるためのボタン画像である。
【０２９８】
ボタン画像ＭＢＧ４８２は、インターフェース操作Ｍにより押下処理されることにより、Ｗｅｂページ画像ＭＧ４００に関連する他のＷｅｂページ画像を表示部５３０に表示させるためのボタン画像である。ボタン画像ＭＢＧ４９０は、インターフェース操作Ｍにより押下処理されることにより、表示部５３０から、Ｗｅｂページ画像ＭＧ４００を消去させるためのボタン画像である。
【０２９９】
図１７および図１８を参照して、Ｗｅｂページ画像ＭＧ４００が表示部５３０に表示された状態で、インターフェース操作Ｍがあると、以下の処理が行なわれる。
【０３００】
たとえば、Ｗｅｂページ画像ＭＧ４００内のハイパーリンク文字列表示画像ＭＧ４３０に表示されている「周辺地図」という文字列が、通信端末装置５００のインターフェース操作Ｍにより選択された状態で、決定ボタン５４１Ｅの短押操作が行なわれると以下の処理Ａが行なわれる。処理Ａでは、制御部５１０が、「周辺地図」に関連付けされている、地図を表示したＷｅｂページ画像を、ＶＤＰ５３２を利用して、Ｗｅｂページ画像ＭＧ４００の代わりに表示部５３０に表示させる。
【０３０１】
なお、制御部５１０が、終了操作があったと判定すると、制御部５１０は、ＶＤＰ５３２を利用して、表示部５３０からＷｅｂページ画像ＭＧ４００を消去する。ここで、終了操作とは、ボタン画像ＭＢＧ４９０が、インターフェース操作Ｍにより押下処理される操作である。そして、制御部５１０は、ＶＤＰ５３２を利用して、Ｗｅｂページ画像ＭＧ４００が表示される前に、表示されていた画像を、表示部５３０に表示させる。そして、制御部５１０は、ステップＳ２２９の処理を終了させ、通信端末装置５００の処理を終了させる。
【０３０２】
また、制御部５１０は、リモコンモード解除操作があったことを、制御部５１０が判定すると、制御部５１０は、通信端末装置５００のリモコンモードを解除する。ここで、リモコンモード解除操作とは、ボタン画像ＭＢＧ４８０が、インターフェース操作Ｍにより押下処理される操作である。
【０３０３】
以上説明したように、本実施の形態では、現在、映像表示装置６００の表示部６３０に表示されている、コンテンツとしての画像に関連するコンテンツ関連情報を、検索情報として検索サーバ８００Ｓへ送信する。検索サーバ８００Ｓは、受信した検索情報（コンテンツ関連情報）を利用して、コンテンツ関連情報に関連する情報のＷｅｂページのＵＲＬを検索する処理を行なう。そして、検索サーバ８００Ｓは、複数のＷｅｂページデータから構成される検索結果データを、映像表示装置６００へ送信する。映像表示装置６００は、受信した検索結果データを、コンテンツを表示している映像表示装置６００とは別の装置である通信端末装置５００へ送信（転送）する。
【０３０４】
通信端末装置５００では、受信した検索結果データのうち、ユーザにより選択されたタイトルに対応するＵＲＬの情報を、映像表示装置６００へ送信する。そして、映像表示装置６００は、選択されたタイトルに対応するＵＲＬのＷｅｂページデータを受信する。映像表示装置６００は、受信したＷｅｂページデータを、通信端末装置５００へ送信（転送）する。そして、通信端末装置５００は、Ｗｅｂページデータに基づくＷｅｂページ画像を、表示部５３０に表示させる。
【０３０５】
以上の処理が行なわれることにより、映像表示装置６００の表示部６３０にコンテンツを表示させた状態で、当該コンテンツに関連するコンテンツ関連情報に関連する情報のＷｅｂページのＵＲＬを検索することができる。したがって、ユーザが視聴中のコンテンツの見易さを低下させることなく、コンテンツに関連するコンテンツ関連情報に関連する情報を表示したＷｅｂページのＵＲＬを検索することができる。
【０３０６】
そして、映像表示装置６００の表示部６３０にコンテンツが表示されている状態で、通信端末装置５００は、検索結果に基づき、ユーザにより選択されたタイトルに対応するＵＲＬ情報を、映像表示装置６００へ送信する。映像表示装置６００では、ユーザにより選択された、ユーザの所望する情報に対応するタイトルに関連するＷｅｂページ画像のＷｅｂページデータを、通信端末装置５００へ送信（転送）する。そして、Ｗｅｂページデータに基づくＷｅｂページ画像が、表示部５３０に表示される。したがって、表示部６３０にコンテンツを表示させた状態で、ユーザの所望するＷｅｂページの情報を、ユーザは、参照することができる。
【０３０７】
以上により、情報を選択する期間における表示中のコンテンツの見易さを低下させることなく、迅速に、所望の情報を参照することができるという効果を奏する。
【０３０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３０９】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】一例としてのリモコン画像を示す図である。
【図９】コンテンツ関連情報表示処理のフローチャートである。
【図１０】一例としての番組情報データテーブルを示す図である。
【図１１】一例としての番組表画像を示す図である。
【図１２】一例としての番組簡易情報データテーブルを示す図である。
【図１３】一例としての簡易リスト画像を示す図である。
【図１４】一例としての検索結果データを示す図である。
【図１５】一例としての検索結果画像を示す図である。
【図１６】一例としてのＷｅｂページ画像を示す図である。
【図１７】コンテンツ関連情報表示処理Ａのフローチャートである。
【図１８】一例としてのＷｅｂページ画像を示す図である。
【符号の説明】
【０３１０】
５０  通信部、７０  ネットワーク、１８０，１８０Ａ  プログラム、３００  リモコン、５００  通信端末装置、５１０，６１０  制御部、５２０，６２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
0004767083.tif 000002
【図２】
0004767083.tif 000003
【図３】
0004767083.tif 000004
【図４】
0004767083.tif 000005
【図５】
0004767083.tif 000006
【図６】
0004767083.tif 000007
【図７】
0004767083.tif 000008
【図８】
0004767083.tif 000009
【図９】
0004767083.tif 000010
【図１０】
0004767083.tif 000011
【図１１】
0004767083.tif 000012
【図１２】
0004767083.tif 000013
【図１３】
0004767083.tif 000014
【図１４】
0004767083.tif 000015
【図１５】
0004767083.tif 000016
【図１６】
0004767083.tif 000017
【図１７】
0004767083.tif 000018
【図１８】
0004767083.tif 000019